【手続補正書】
【提出日】平成26年10月27日(2014.10.27)
【手続補正１】
【補正対象書類名】明細書
【補正対象項目名】００４４
【補正方法】変更
【補正の内容】
【００４４】
後の図を参照して本発明を説明するが、本発明はこれらに限定されない。
本発明の好ましい態様は、以下を包含する。
〔１〕連続第一ポリマー層（１）および
連続第二ポリマー層（２）
を含んでなり、フェロエレクトレット特性を有するポリマー層構造体であって、
連続ポリマー層（１、２）の間に配置された接続部（３）によって空隙（４）が形成されるように、第一および第二ポリマー層（１、２）が互いに接続しており、
ポリマー層構造体が一体化された押出構造要素の形態であることを特徴とする、ポリマー層構造体。
〔２〕第一および第二ポリマー層（１、２）の厚さｄ１およびｄ２が一定であることを特徴とする、上記〔１〕に記載のポリマー層構造体。
〔３〕空隙（４）の少なくとも一部が台形断面を有することを特徴とする、上記〔１〕または〔２〕に記載のポリマー層構造体。
〔４〕空隙（４）の少なくとも一部が対称等脚台形断面を有することを特徴とする、上記〔３〕に記載のポリマー層構造体。
〔５〕空隙（４）の全てが台形断面を有し、ポリマー層構造体が水平に配置されている場合の台形断面の長底辺が、対応する短底辺の上方および下方に交互に配置されていることを特徴とする、上記〔３〕または〔４〕に記載のポリマー層構造体。
〔６〕台形断面において、それぞれの鈍角が２つの隣接した鋭角を有し、それぞれの鋭角が２つの隣接した鈍角を有することを特徴とする、上記〔３〕に記載のポリマー層構造体。
〔７〕台形断面が平行四辺形状であることを特徴とする、上記〔６〕に記載のポリマー層構造体。
〔８〕厚さｄ１が１０μｍ〜２５０μｍであり、
厚さｄ２が１０μｍ〜２５０μｍであり、
幅ａが１０μｍ〜５ｍｍであり、
幅ｂが１０μｍ〜５ｍｍであり、
最大高さｈが１０μｍ〜５００μｍであり、および／または
角度αが５°〜８０°であることを特徴とする、上記〔１〕〜〔７〕のいずれかに記載のポリマー層構造体。
〔９〕ポリマー層構造体が、ポリカーボネート、パーフッ素化または部分フッ素化されたポリマーおよびコポリマー、ポリテトラフルオロエチレン、フルオロエチレンプロピレン、パーフルオロアルコキシエチレン、ポリエステル、ポリエチレンテレフタレート、ポリエチレンナフタレート、ポリイミド、ポリエーテルイミド、ポリエーテル、特に、ポリフェニレンエーテル（ＰＰＥ）、ポリメチル（メタ）アクリレート、シクロオレフィンポリマー、シクロオレフィンコポリマー、ポリオレフィン、特にポリプロピレン、ポリスチレンおよびそれらの混合物からなる群から選択される物質を含んでなることを特徴とする、上記〔１〕〜〔８〕のいずれかに記載のポリマー層構造体。
〔１０〕空隙（４）が、窒素、一酸化二窒素および六フッ化硫黄からなる群から選択される気体で充填されていることを特徴とする、上記〔１〕〜〔９〕のいずれかに記載のポリマー層構造体。
〔１１〕１つ以上の電極を有することを特徴とする、上記〔１〕〜〔１０〕のいずれかに記載のポリマー層構造体。
〔１２〕（Ａ）ポリマー物質を供給する工程、
（Ｂ）ポリマー物質を押し出すことによって、連続第一ポリマー層（１）および連続第二ポリマー層（２）を含んでなり、連続ポリマー層（１、２）の間に配置された接続部によって空隙（４）が形成されるように第一および第二ポリマー層（１、２）が互いに接続しているポリマー層構造体を形成する工程、および
（Ｃ）空隙に面している第一および第二ポリマー層（１、２）の表面を帯電させる工程
を含むことを特徴とする、ポリマー層構造体の製造方法。
〔１３〕工程（Ｃ）における帯電を直接帯電またはコロナ放電によって実施することを特徴とする、上記〔１２〕に記載の方法。
〔１４〕工程（Ｃ）における帯電の前に、空隙を、窒素、一酸化二窒素および六フッ化硫黄からなる群から選択される気体で充填することを特徴とする、上記〔１２〕または〔１３〕に記載の方法。
〔１５〕上記〔１〕〜〔１１〕のいずれかに記載のポリマー層複合体を含んでなる圧電素子。
【手続補正２】
【補正対象書類名】特許請求の範囲
【補正対象項目名】全文
【補正方法】変更
【補正の内容】
【特許請求の範囲】
【請求項１】
連続第一ポリマー層（１）および
連続第二ポリマー層（２）
を含んでなり、フェロエレクトレット特性を有するポリマー層構造体であって、
連続ポリマー層（１、２）の間に配置された接続部（３）によって空隙（４）が形成されるように、第一および第二ポリマー層（１、２）が互いに接続しており、
ポリマー層構造体が一体化された押出構造要素の形態であることを特徴とする、ポリマー層構造体。
【請求項２】
第一および第二ポリマー層（１、２）の厚さｄ１およびｄ２が一定であることを特徴とする、請求項１に記載のポリマー層構造体。
【請求項３】
空隙（４）の少なくとも一部が台形断面を有することを特徴とする、請求項１または２に記載のポリマー層構造体。
【請求項４】
空隙（４）の少なくとも一部が対称等脚台形断面を有することを特徴とする、請求項３に記載のポリマー層構造体。
【請求項５】
空隙（４）の全てが台形断面を有し、ポリマー層構造体が水平に配置されている場合の台形断面の長底辺が、対応する短底辺の上方および下方に交互に配置されていることを特徴とする、請求項３または４に記載のポリマー層構造体。
【請求項６】
台形断面が平行四辺形状であることを特徴とする、請求項３に記載のポリマー層構造体。
【請求項７】
厚さｄ１が１０μｍ〜２５０μｍであり、
厚さｄ２が１０μｍ〜２５０μｍであり、
幅ａが１０μｍ〜５ｍｍであり、
幅ｂが１０μｍ〜５ｍｍであり、
最大高さｈが１０μｍ〜５００μｍであり、および／または
角度αが５°〜８０°であることを特徴とする、請求項１〜６のいずれかに記載のポリマー層構造体。
【請求項８】
ポリマー層構造体が、ポリカーボネート、パーフッ素化または部分フッ素化されたポリマーおよびコポリマー、ポリテトラフルオロエチレン、フルオロエチレンプロピレン、パーフルオロアルコキシエチレン、ポリエステル、ポリエチレンテレフタレート、ポリエチレンナフタレート、ポリイミド、ポリエーテルイミド、ポリエーテル、特に、ポリフェニレンエーテル（ＰＰＥ）、ポリメチル（メタ）アクリレート、シクロオレフィンポリマー、シクロオレフィンコポリマー、ポリオレフィン、特にポリプロピレン、ポリスチレンおよびそれらの混合物からなる群から選択される物質を含んでなることを特徴とする、請求項１〜７のいずれかに記載のポリマー層構造体。
【請求項９】
空隙（４）が、窒素、一酸化二窒素および六フッ化硫黄からなる群から選択される気体で充填されていることを特徴とする、請求項１〜８のいずれかに記載のポリマー層構造体。
【請求項１０】
１つ以上の電極を有することを特徴とする、請求項１〜９のいずれかに記載のポリマー層構造体。
【請求項１１】
（Ａ）ポリマー物質を供給する工程、
（Ｂ）ポリマー物質を押し出すことによって、連続第一ポリマー層（１）および連続第二ポリマー層（２）を含んでなり、連続ポリマー層（１、２）の間に配置された接続部によって空隙（４）が形成されるように第一および第二ポリマー層（１、２）が互いに接続しているポリマー層構造体を形成する工程、および
（Ｃ）空隙に面している第一および第二ポリマー層（１、２）の表面を帯電させる工程
を含むことを特徴とする、ポリマー層構造体の製造方法。
【請求項１２】
工程（Ｃ）における帯電を直接帯電またはコロナ放電によって実施することを特徴とする、請求項１１に記載の方法。
【請求項１３】
工程（Ｃ）における帯電の前に、空隙を、窒素、一酸化二窒素および六フッ化硫黄からなる群から選択される気体で充填することを特徴とする、請求項１１または１２に記載の方法。
【請求項１４】
請求項１〜１０のいずれかに記載のポリマー層複合体を含んでなる圧電素子。